(57)【要約】【課題】上ランナー取付片を溶接によらず、簡単容易に鉄骨梁の下面に取り付けることができ、施工コストを安く抑えることができるようにした耐火壁下地を提供する。【解決手段】耐火被覆材２で被覆される鉄骨梁１の下面側に上ランナー取付片３を介して上ランナー４を取り付け、その下方の床側に下ランナー５を取り付け、上下ランナー４，５間にスタッド６を立て込むことによって形成される耐火壁下地において、上ランナー取付片３を、立上板片１２と、立上板片１２の上端から水平に延びる上板片１３と、立上板片１２の下端から上板片１３とは反対方向に水平に延びる下板片１４とによって略Ｚ字状に形成し、上板片１３を鉄骨梁１の下面に鋲打ち銃による鋲９で取り付け、下板片１４には上ランナー４を取り付けるようにしてなる。【選択図】図１
2006125087.tif 000002
【特許請求の範囲】
【請求項１】
耐火被覆材で被覆される鉄骨梁の下面側に上ランナー取付片を介して上ランナーを取り付け、その下方の床側に下ランナーを取り付け、上下ランナー間にスタッドを立て込むことによって形成される耐火壁下地において、
前記上ランナー取付片を、立上板片と、これの上端から水平に延びる上板片と、立上板片の下端から上板片とは反対方向に水平に延びる下板片とによって略Ｚ字状に形成し、上板片を鉄骨梁の下面に鋲打ち銃による鋲で取り付け、下板片には上ランナーを取り付けるようにしてなることを特徴とする耐火壁下地。
【請求項２】
前記上ランナー取付片の上板片には、鋲が挿通する鋲挿通孔を開けると共にこの孔の周辺部を下向きに膨出させることによって鋲打ち込みガイドを形成したことを特徴とする請求項１に記載の耐火壁下地。
【請求項３】
前記上ランナー取付片には、立上板片と上板片との内隅部及び立上板片と下板片との内隅部に夫々補強リブを形成したことを特徴とする請求項１又は２に記載の耐火壁下地。
【発明の詳細な説明】
【技術分野】
【０００１】
本発明は、建物内部の空間を仕切る間仕切壁等を施工するときの壁下地に関し、特に、耐火被覆材で被覆される鉄骨梁の下面側に上ランナー取付片を介して上ランナーを取り付け、その下方の床側に下ランナーを取り付け、上下ランナー間にスタッドを立て込むことによって形成される耐火壁下地に関する。この耐火壁下地には、耐火ボードとして通常は石膏ボードが張り付けられる。
【背景技術】
【０００２】
従来の耐火壁下地として、特許公報等の公知文献を具体的に挙げることはできないが、図５には鉄骨梁下に施工される従来の耐火壁下地を示している。即ち、床スラブＳの下面に沿って設けられた鉄骨梁としてのＨ形鋼１の下方に耐火壁下地を施工するにあたって、Ｈ形鋼１はその全表面をロックウール等からなる耐火被覆材２で被覆することが義務づけられている。しかして、このＨ形鋼１の下部フランジ１ａの下面に、溝型材を短く切断して形成した図示のような上ランナー取付片２３をＨ形鋼１の長さ方向一定間隔おきに溶接によって取り付け、こうして取り付けた複数個の上ランナー取付片２３の下面に上ランナー４を例えば釘によって取り付け、図示は省略するが、この上ランナー４の下方の床側に下ランナーを取り付け、上下ランナー間にスタッド６を立て込むことによって、耐火壁下地７を形成し、この耐火壁下地７の両面側に石膏ボード８をタッピングネジで取り付けるようになっている。
【発明の開示】
【発明が解決しようとする課題】
【０００３】
上記従来の耐火壁下地では、鉄骨梁の下面に、溝型材で形成した上ランナー取付片を溶接によって取り付けていたため、溶接作業に非常な手間がかかり、施工コストが高くつくと言う難点があった。そこで、本発明は、上ランナー取付片を溶接によらず、簡単容易に鉄骨梁の下面に取り付けることができるようにし、それによって施工コストを安く抑えることができるようにした耐火壁下地を提供することを目的とする。
【課題を解決するための手段】
【０００４】
上記課題を解決するための手段を、後述する実施形態の参照符号を付して説明すると、請求項１に係る発明では、耐火被覆材２で被覆される鉄骨梁１の下面側に上ランナー取付片３を介して上ランナー４を取り付け、その下方の床側に下ランナー５を取り付け、上下ランナー４，５間にスタッド６を立て込むことによって形成される耐火壁下地において、前記上ランナー取付片３を、立上板片１２と、立上板片１２の上端から水平に延びる上板片１３と、立上板片１２の下端から上板片１３とは反対方向に水平に延びる下板片１４とによって略Ｚ字状に形成し、上板片１３を鉄骨梁１の下面に鋲打ち銃による鋲９で取り付け、下板片１４には上ランナー４を取り付けるようにしてなることを特徴とする。
【０００５】
請求項２は、請求項１に記載の耐火壁下地において、前記上ランナー取付片３の上板片１３には、鋲９が挿通する鋲挿通孔１５を開けると共にこの孔１５の周辺部を下向きに膨出させることによって鋲打ち込みガイド１６を形成したことを特徴とする。
【０００６】
請求項３は、請求項１又は２に記載の耐火壁下地において、前記上ランナー取付片３には、立上板片１２と上板片１３との内隅部及び立上板片１２と下板片１４との内隅部に夫々補強リブ１７を形成したことを特徴とする。
【発明の効果】
【０００７】
上記解決手段による発明の効果を、後述する実施形態の参照符号を付して説明すると、請求項１に係る発明によれば、上ランナー取付片３を、立上板片１２と上板片１３と下板片１４とからなる略Ｚ字状に形成して、上板片１３を鉄骨梁１の下面に鋲打ち銃による鋲９で取り付けるようにしたから、溝形材等で形成した上ランナー取付片３を溶接により鉄骨梁に取り付けていた従来の耐火壁下地に比べ、作業が簡単容易となり、壁下地施工コストの低廉化を図ることができる。特に、上ランナー取付片３を略Ｚ字状に形成したから、この上ランナー取付片３を鋲打ち銃による鋲９にてＨ形鋼１の下面に取り付けるに際に、上ランナー取付片３の下方からの銃による鋲打ち作業を容易にして的確に行うことができる。
【０００８】
請求項２に係る発明によれば、上ランナー取付片３の上板片１３には、鋲挿通孔１５を開けると共に孔１５の周辺部を下向きに膨出させることによって鋲打ち込みガイド１６を形成したから、鋲打ち銃により発射される鋲９は、この鋲打ち込みガイド１６にガイドされて、鉄骨梁１の下フランジ１ａに垂直に貫入し、上板片１３を下フランジ１ａに的確に圧着固定することができる。
【０００９】
請求項３に係る発明によれば、上ランナー取付片３には、立上板片１２と上板片１３との内隅部及び立上板片１２と下板片１４との内隅部に夫々補強リブ１７を形成しているから、上ランナー取付片３の剛性を確保できて、不測の変形を防止できる。
【発明を実施するための最良の形態】
【００１０】
以下に本発明の好適な実施形態を図１〜図４に基づいて説明すると、図１の(a) は本発明に係る耐火壁下地７を示す概略正面図、(b) は(a) のＸ−Ｘ線断面図であり、図２は図１に示す耐火壁下地７の一部拡大詳細断面図である。また図３の(a) は本発明に係る耐火壁下地７に使用する上ランナー取付片３を示す斜視図、(b) は上ランナー取付片３の一部断面側面図であり、図４は上ランナー取付片３の取付状態を示す縦断面図である。
【００１１】
この発明に係る耐火壁下地７を形成するには、図１の(a) 及び(b) から分かるように、床スラブＳの下面に沿って設けられた鉄骨梁としてのＨ形鋼１の下面に、略Ｚ字状に形成された上ランナー取付片３をＨ形鋼１の長手方向一定間隔おきに鋲打ち銃（図示せず）による鋲９で取り付け、これら上ランナー取付片３に上ランナー４をタッピングネジ１０で取り付け、床Ｆには上ランナー４と上下に対向する位置に下ランナー５を釘１１で取り付け、こうして取り付けた上下ランナー４，５間にスタッド５を所要間隔おきに立て込むことによって耐火壁下地７を形成する。Ｈ形鋼１は、ウエブ１ｏと下フランジ１ａと上フランジ１ｂとからなるもので、その全表面がロックウール等からなる耐火被覆材２によって図２に示すように被覆される。
【００１２】
上記のように形成した耐火壁下地７の両面側に夫々石膏ボード８を貼り合わせて、タッピングネジ（図示せず）で固定し、例えば間仕切用の耐火壁を形成する。石膏ボード８を貼り合わせる際には、図２に示すように、Ｈ形鋼１に被覆された耐火被覆材２の下面と、石膏ボード８の上端面との間に接着剤１８を介在させる。また、石膏ボード８の内側にはガラスウール等からなる断熱材を装備してもよい。尚、石膏ボード８は、図示の実施形態では、内側ボード８ａとこれに接着された外側ボード８ｂとの二層構造からなる。
【００１３】
この耐火壁下地７に用いる上ランナー取付片３は、図３の(a) 及び(b) に示すように、鋼板をプレス加工することにより、立上板片１２と、この立上板片１２の上端から水平に延びる上板片１３と、立上板片１２の下端から上板片１３とは反対方向に水平に延びる下板片１４とからなる略Ｚ字状に形成されたもので、上板片１３は、鉄骨梁としてのＨ形鋼１の下面に、鋲打ち銃工法による鋲９で取り付けられ、下板片１４には上ランナー４が例えば釘打ちによる釘１１で取り付けられるようになっている。
【００１４】
この上ランナー取付片３の上板片１３には、図３の(a) 及び(b) に示すように、鋲打ち銃による鋲９が挿通する鋲挿通孔１５を開けると共に孔１５の周辺部を下向きに膨出させることによって形成された鋲打ち込みガイド１６が設けられている。また上ランナー取付片３には、立上板片１２と上板片１３との内隅部及び立上板片１２と下板片１４との内隅部に夫々補強リブ１７がプレス加工によって形成されており、これによって上ランナー取付片３の剛性が確保され、不測の変形が防止される。
【００１５】
この上ランナー取付片３を鉄骨梁としてのＨ形鋼１の下面に取り付けるにあたっては、図３の(b) に示すように、上板片１３をＨ形鋼１の下フランジ１ａに当接させた状態で、図示は省略するが、鋲打ち銃の先端を鋲打ち込みガイド１６の鋲挿通孔１５に当てがい、鋲打ち銃の鋲９を発射させると、その鋲９は、鋲挿通孔１５を挿通してＨ形鋼１の下フランジ１ａに対し垂直に貫入して、上板片１３を下フランジ１ａに圧着固定する。
【００１６】
この上ランナー取付片３が上記のように立上板片１２と上板片１３と下板片１４とからなる略Ｚ字状に形成されているから、この上ランナー取付片３を鋲打ち銃による鋲９にてＨ形鋼１の下面に取り付けるに際には、上記のように上板片１３をＨ形鋼１の下フランジ１ａに当接させた状態で鋲打ち銃により鋲９を上板片１３からＨ形鋼１の下フランジ１ａに打ち込んで簡単容易に上板片１３を下フランジ１ａに取り付け固定することができるけれども、仮に、上ランナー取付片３が溝型材で形成されていたり、立上板片１２が水平に対し斜めに交差するように形成されていれば、上板片１３をＨ形鋼１に対し鋲打ち銃で鋲打ちすることができなくなる。
【００１７】
また、鋲打ち銃によって鋲９を上板片１３からＨ形鋼１の下フランジ１ａに打ち込む場合に、上記のように上板片１３に鋲打ち込みガイド１６を形成していなくても、鋲９を上板片１３から下フランジ１ａに貫入させることはできるが、鋲９が下フランジ１ａに対し斜めに貫入し易く、上板片１３を下フランジ１ａに的確に圧着固定し得ないことがある。従って、この上ランナー取付片３のように、上板片１３に鋲打ち込みガイド１６を形成しておくことにより、鋲打ち銃によって発射された鋲９は、鋲打ち込みガイド１６にガイドされて、鉄骨梁１の下フランジ１ａに垂直に貫入し、上板片１３を下フランジ１ａに的確に圧着固定することができる。
【００１８】
また鋲９は、図４に示すようにＨ形鋼１の下フランジ１ａを貫通しない状態に打ち込まれるのがよい。また、鋲打ち工法では、必ず２本以上の鋲を使用することが必要とされ、従ってこの実施形態の上ランナー取付片３の上板片１３にも２本の鋲９を通すようになっている。
【００１９】
また、上ランナー取付片３の下板片１４に下ランナー５を取り付ける場合には、釘打ちによる他、上記鋲打ち銃による鋲で取り付けてもよいし、またタッピングネジによって取り付けるようにしてもよい。
【００２０】
以上説明したような耐火壁下地７によれば、上ランナー取付片３を、立上板片１２と、これの上端から水平に延びる上板片１３と、これの下端から上板片１３とは反対方向に水平に延びる下板片１４とからなる略Ｚ字状に形成して、上板片１３を鉄骨梁１の下面に鋲打ち銃による鋲９で取り付けるようにしたから、溝形材等で形成した上ランナー取付片３を溶接により鉄骨梁に取り付けていた従来の耐火壁下地に比べ、作業が簡単容易となり、壁下地施工コストの低廉化を図ることができる。特に、上ランナー取付片３が略Ｚ字状に形成されているから、この上ランナー取付片３を鋲打ち銃による鋲９によってＨ形鋼１の下面に取り付けるに際に、上ランナー取付片３の下方からの銃による鋲打ち作業が容易にして的確に行うことができる。
【図面の簡単な説明】
【００２１】
【図１】(a) は本発明に係る耐火壁下地を示す概略正面図、(b) は(a) のＸ−Ｘ線断面図である。
【図２】図１に示す耐火壁下地の一部拡大詳細断面図である。
【図３】(a) は本発明に係る耐火壁下地に使用する上ランナー取付片を示す斜視図、(b) は上ランナー取付片の一部断面側面図である。
【図４】上ランナー取付片の取付状態を示す縦断面図である。
【図５】鉄骨梁下に施工される従来の耐火壁下地を示す断面図である。
【符号の説明】
【００２２】
１          Ｈ形鋼（鉄骨梁）
２          耐火被覆材
３          上ランナー取付片
４          上ランナー
５          下ランナー
６          スタッド
７          耐火壁下地
８          石膏ボード
９          鋲打ち銃によって打ち込まれる鋲
１２        上ランナー取付片の立上板片
１３        上ランナー取付片の上板片
１４        上ランナー取付片の下板片
１５        銃打ち込みガイドの孔
１６        銃打ち込みガイド
１７        補強リブ
【図１】
2006125087.tif 000003
【図２】
2006125087.tif 000004
【図３】
2006125087.tif 000005
【図４】
2006125087.tif 000006
【図５】
2006125087.tif 000007